(57)【要約】【課題】臭いや衛生上の問題が少ない排泄物の処理方法及びその処理方法に好適な排泄物処理キットを提供する。【解決手段】排泄物処理キットは、土１５を入れる箱体１１と、箱体１１の上に載せる座板１２と、箱体１１内の土１５と排泄物との混合に用いるシャベル１３（混合工具）とを有する。箱体１１内の土１５と排泄物とを１日当たり２〜３回程度混ぜ合わせると、土１５中に含まれる微生物やバクテリアが排泄物を分解する。【選択図】図１
2018187328.tif 000002
【特許請求の範囲】
【請求項１】
箱体内に土を入れ、前記土の上に排泄物を置き、
次いで前記土と前記排泄物とを混ぜ合わせる
ことを特徴とする排泄物処理方法。
【請求項２】
土を入れる箱体と、
前記箱体の上に載せる座板と、
前記箱体内の土と前記箱体内に置かれた排泄物との混合に用いる混合工具と
を有することを特徴とする排泄物処理キット。
【発明の詳細な説明】
【技術分野】
【０００１】  本発明は、人又はペット等の排泄物を処理する排泄物処理方法及びその排泄物処理方法の実施に好適な排泄物処理キットに関する。
【背景技術】
【０００２】  地震等の大規模災害が起きると避難所が開設され、多くの避難民が避難所で生活することになる。そのような避難所では、トイレが大きな問題となる。【０００３】  避難所には、例えばテント内に便器と排泄物貯留タンクとを設けた簡易トイレ（仮設トイレ）が設置される。しかし、排泄物をタンク内に貯留するタイプの簡易トイレでは、排泄物の処理ができるようになるまで排泄物はビニール袋等に入れて溜めておくことになる。そのため、排泄物を入れたビニール袋等を貯蔵しておく場所が必要であるというだけでなく、臭いや衛生上の問題がある。そして、大量のごみがでる。【０００４】  そこで、マンホールの上に便器を設置して排泄物を下水に流すタイプの簡易トイレが開発されている（例えば、特許文献１等参照）。
【先行技術文献】
【特許文献】
【０００５】
【特許文献１】特開２００５−１４３８７１号公報
【発明の概要】
【発明が解決しようとする課題】
【０００６】  排泄物を下水に流すタイプの簡易トイレの場合、災害時には下水に水が流れてなく、又は下水に流れる水の量が少なく、排泄物を流すことができなくなることがある。そうすると、衛生上の問題や臭いの問題が発生する。【０００７】  本発明は、臭いや衛生上の問題が少ない排泄物の処理方法及びその処理方法に好適な排泄物処理キットを提供することを目的とする。
【課題を解決するための手段】
【０００８】  本発明に係る排泄物処理方法は、箱体内に土を入れ、前記土の上に排泄物を置き、次いで前記土と前記排泄物とを混ぜ合わせることを特徴とする。【０００９】  本発明に係る排泄物処理キットは、土を入れる箱体と、前記箱体の上に載せる座板と、前記箱体内の土と前記箱体内に置かれた排泄物との混合に用いる混合工具とを有することを特徴とする。
【発明の効果】
【００１０】  本発明に係る排泄物処理方法及び排泄物処理キットによれば、土中に含まれる微生物（菌類を含む）及びバクテリア等を利用して、臭いや衛生上の問題を抑制しつつ、人又はペット等の排泄物を処理できる。
【図面の簡単な説明】
【００１１】
【図１】図１は、実施形態に係る排泄物処理キットを示す斜視図である。
【図２】図２は、実施形態に係る排泄物処理方法を示す斜視図（その１）である。
【図３】図３は、実施形態に係る排泄物処理方法を示す斜視図（その２）である。
【発明を実施するための形態】
【００１２】  以下、実施形態について、添付の図面を参照して説明する。
図１は、実施形態に係る排泄物処理キットを示す斜視図である。
【００１３】  図１に示すように、本実施形態に係る排泄物処理キットは、箱体１１と、座板１２と、小型のシャベル１３とを含んで構成されている。
【００１４】  箱体１１はプラスチック等により形成されており、例えば幅が３５ｃｍ、長さが４５ｃｍ、高さが４０ｃｍである。箱体１１の側板の上部には、空気を通流させるために直径が１ｃｍ程度の穴１１ａが複数設けられている。
【００１５】  箱体１１内には土１５を入れる。シャベル１３は、箱体１１内に入れた土１５と排泄物とを混ぜるときに使う混合工具である。本実施形態では混合工具として小型のシャベル１３を用いているが、シャベル１３以外のものを混合工具としてもよい。
【００１６】  座板１２の中央部には直径が１５ｃｍ〜２０ｃｍ程度の開口部１２ａが設けられている。本実施形態の排泄物処理キットを実際に使用する場合、座板１２を箱体１１の上においてその上に人が座って用を足すので、箱体１１及び座板１２には人の体重に耐えられる程度の強度が必要である。座板１２には、不使用時に開口部１２ａを塞ぐための蓋１２ｂが設けられている。
【００１７】  以下、図２，図３を参照して、上記の排泄物処理キットを用いた排泄物処理方法について説明する。
【００１８】  図２に示すように、予め箱体１１に、１／２程度の高さまで土１５を入れておく。土１５は特別なものでなく、庭や畑等から採取したものを使用できる。
【００１９】  次に、箱体１１内の土の上に排泄物（大便）１６を入れる。同時にトイレットペーパ（図示せず）を入れてもよい。その場合、分解しやすくするために、トイレットペーパーには少量の水（例えば雨水）をかけておくことが好ましい。
【００２０】  次いで、図３に示すように、シャベル１３を使用して、排泄物１６及びトイレットペーパーを切り砕くようにして土１５とよく混ぜ合わせる。
【００２１】  その後、１日当たり２〜３回程度の割合で土１５をよく混ぜ返す。これを３日程度繰り返すと、土１５中に含まれる微生物（菌類を含む）やバクテリア等により排泄物１６及びトイレットペーパーはほぼ完全に分解されて土１５の一部になる。排泄物が分解された後の土１５にはチッソ、リン酸及びカリウム等の成分が多量に含まれており、植物の育成に用いることができる。
【００２２】  上述したように、排泄物及びトイレットペーパーは３日程度でほぼ完全に分解されて土になるので、ごみが出ず、水洗トイレが使用できない間もトイレの問題は解消される。
【００２３】  なお、人間の排泄物の約８０％は水分であり、残りの約２０％が腸内細菌と食物のカス及び体の老廃物である。水分は自然に蒸発していくので、箱体１１内に残る排泄物の量はわずかである。そのため、１日分の排泄物の処理では、箱体１１内の土１５の増加量は少ない。
【００２４】  本願発明者らは、本実施形態に係る排泄物処理キットを使用して実際に排泄物の処理を行った。その結果、排泄物と土とを十分に混ぜ合わせることにより１日目から臭いは殆どなく、排泄物は３日程度でほぼ完全に分解されることが確認された。
【００２５】  なお、上記の実施形態では人の排泄物を処理する場合について説明したが、開示した技術はペット等の排泄物の処理に使用してもよい。
【００２６】  （排泄物の分解の概要）
動物の排泄物（大便）が土の上に取り残されると、その分解過程でアンモニアを発生して周囲の土壌に影響を与え、アンモニア菌という菌類が発生する。また、有機物に満ちた資源（排泄物）を有効利用しようとして、土中に含まれる様々な微生物が活性化する。それらのうちの主要なものは糞生菌と呼ばれる菌である。
【００２７】  土の中に排泄物が入ると糞生菌が増え、それらの糞生菌は排泄物を栄養源として吸収利用して、チッソ、リン酸及びカリウムを生成する。チッソ、リン酸及びカリウムは、植物の育成に重要な肥料の三要素である。
【００２８】  （避難所運営に対する効果）
地震等の大規模災害が発生すると、電気、水道及びガス等が停止して、家庭の水洗トイレは使用不能となる。人々は避難所に集まり、避難所に設置された仮設トイレには人が集中することになる。その場合、従来からある仮設トイレではすぐに許容量を超えてしまい、使用不能となると考えられる。また、プライバシーが十分に守られず、トイレの使用をためらう人も多くなる。
【００２９】  大規模災害が発生すると、家屋の損傷は少ないもののトイレが使用できないために避難所に避難する人も多い。本実施形態に係る排泄物処理キットは、サイズが小さく各家庭に簡単に設置できるので、仮設トイレを使用するという理由で避難所に避難する人の数を少なくできる。その結果、避難所を運営する人の負荷を軽減できるという効果もある。
【符号の説明】
【００３０】  １１…箱体、
１２…座板、
１３…シャベル、
１５…土、
１６…排泄物。
【図１】
2018187328.tif 000003
【図２】
2018187328.tif 000004
【図３】
2018187328.tif 000005